(57)【要約】【課題】外部記憶媒体に記憶されている画像データが示す画像の状態を容易に確認できるようにする。【解決手段】第１の操作指示に応じて、筆記面上の画像を光学読取部に光学的に読み取らせる処理と、光学読取部から出力される画像データをコネクタに装着されている外部記憶媒体に番号を追番で付与して記憶させる処理とを実行するようにした。また、第２の操作指示に応じて（Ｓ１０１）、コネクタに装着されている外部記憶媒体に記憶されて番号が最大の画像データに基づく画像印刷を前記プリンタに実行させる処理を実行するようにした（Ｓ１０２、Ｓ１０３）。【選択図】図８
2008228138.tif 000002
【特許請求の範囲】
【請求項１】
筆記可能な筆記面と、
前記筆記面上の画像を光学的に読み取り画像データとして出力する光学読取部と、
画像印刷を実行するプリンタと、
外部記憶媒体の挿脱を許容するコネクタと、
操作指示の入力を受け付ける操作指示部と、
情報処理を実行する情報処理部と、
前記情報処理部が、前記操作指示部での第１の操作指示に応じて、前記筆記面上の画像を前記光学読取部に光学的に読み取らせる処理と、当該光学読取部から出力される画像データを一時記憶領域に一時記憶させてファイル形式のデータ形態で前記コネクタに装着されている前記外部記憶媒体に番号を追番で付与して記憶させる処理と、を実行する手段と、
前記情報処理部が、前記操作指示部での第２の操作指示に応じて、前記コネクタに装着されている前記外部記憶媒体に記憶されて前記番号が最大の画像データに基づく画像印刷を前記プリンタに実行させる処理を実行する手段と、
を備える電子黒板。
【請求項２】
前記情報処理部が、前記操作指示部での第３の操作指示に応じて、前記コネクタに装着されている前記外部記憶媒体に記憶されている画像データから任意の画像データを選択する処理を実行する手段と、
前記情報処理部が、前記操作指示部での第４の操作指示に応じて、前記選択した画像データに基づく画像印刷を前記プリンタに実行させる処理を実行する手段と、
を備える請求項１記載の電子黒板。
【請求項３】
情報を表示する表示部と、
前記情報処理部が、前記選択した画像データに付与されている前記番号に基づく番号表示を前記表示部に表示させる手段と、
を備える、
請求項２記載の電子黒板。
【請求項４】
前記情報処理部が、前記操作指示部での第５の操作指示に応じて、前記コネクタに装着されている前記外部記憶媒体に記憶されている画像データに基づくサムネイル画像の画像データを生成する処理と、当該生成した画像データに基づく画像印刷を前記プリンタに実行させる処理と、を実行する手段を備える、
請求項３記載の電子黒板。
【請求項５】
前記情報処理部は、前記操作指示部での第１の操作指示に応じて、前記光学読取部から出力される画像データに基づく画像印刷を前記プリンタに実行させる処理をも実行する、請求項１ないし４のいずれか一記載の電子黒板。
【発明の詳細な説明】
【技術分野】
【０００１】
本発明は、電子黒板に関する。
【背景技術】
【０００２】
電子黒板は、筆記面に筆記された画像を読み取り画像データとして出力する機能を有している。一般的な電子黒板は、プリンタを備え、画像データをプリンタに出力して画像印刷させる。
【０００３】
また、画像データの出力先をプリンタに限定しない電子黒板がある（例えば、特許文献１参照）。特に近年、フラッシュメモリのような外部記憶媒体に対して画像データの出力を可能とした電子黒板が普及している。
【０００４】
【特許文献１】特開平１０−１３６１４０号公報
【発明の開示】
【発明が解決しようとする課題】
【０００５】
ところで、筆記具の消耗や筆圧の低下によって筆記画像の濃度が薄くなることにより、読み取った画像データが示す画像の状態が悪い（画像の一部が欠けている等）ことがある。
【０００６】
外部記憶媒体に記憶されている画像データが示す画像の状態を確認しようとする場合、例えば、この外部記憶媒体をパーソナルコンピュータ（ＰＣ）に接続し、このＰＣのディスプレイに画像として表示させる作業等が必要であり、非常に煩雑である。
【０００７】
本発明の目的は、外部記憶媒体に記憶されている画像データが示す画像の状態を容易に確認することができる電子黒板を提供することである。
【課題を解決するための手段】
【０００８】
本発明の電子黒板は、筆記可能な筆記面と、前記筆記面上の画像を光学的に読み取り画像データとして出力する光学読取部と、画像印刷を実行するプリンタと、外部記憶媒体の挿脱を許容するコネクタと、操作指示の入力を受け付ける操作指示部と、情報処理を実行する情報処理部と、を備え、前記情報処理部が、前記操作指示部での第１の操作指示に応じて、前記筆記面上の画像を前記光学読取部に光学的に読み取らせる処理と、当該光学読取部から出力される画像データを一時記憶領域に一時記憶させてファイル形式のデータ形態で前記コネクタに装着されている前記外部記憶媒体に番号を追番で付与して記憶させる処理と、を実行し、また、前記情報処理部が、前記操作指示部での第２の操作指示に応じて、前記コネクタに装着されている前記外部記憶媒体に記憶されて前記番号が最大の画像データに基づく画像印刷を前記プリンタに実行させる処理を実行するようにした。
【発明の効果】
【０００９】
本発明によれば、所定の操作指示によって外部記憶媒体から最大の番号が付与された画像データが読み出されて画像印刷されるため、最も新しく読み取りされた画像データが示す画像について、その状態を容易に確認することができる。
【発明を実施するための最良の形態】
【００１０】
本発明の一実施の形態に係る電子黒板１００を図１ないし図１１に基づいて説明する。
【００１１】
図１は、電子黒板１００を示す斜視図である。電子黒板１００における長方形のフレーム１１０は、一対のスタンド１０１によって支持されている。このフレーム１１０はエンドレス状の筆記用の筆記シート１０２を収納し、この筆記シート１０２におけるフレーム１１０の前面側の開口部から外部に露出した部分が、マーカーペン等によって文字や図形等の画像（描画）が筆記される板面である筆記面１０３となる。本明細書中では筆記面１０３上の描画についても画像というものとする。尚、筆記シート１０２の素材には、ポリエチレン製のものなどが採用されている。また、フレーム１１０の右下には、ＣＣＤラインセンサ３０４（図２及び図３参照）によって読み取られた画像を用紙（図示せず）に印刷して発行するためのプリンタ１０４が設けられている。
【００１２】
フレーム１１０は、筆記面１０３の上方に位置する上縁部１１１と、筆記面１０３の両側に位置する左側縁部１１２及び右側縁部１１３と、筆記面１０３の下方に位置し、手前側に向け突出形成された下側棚部１１４とを備える。
【００１３】
上縁部１１１と、左側縁部１１２及び右側縁部１１３とは、上縁部１１１の両側に配置された左上側コーナ部材１１５及び右上側コーナ部材１１６を介して接続されている。また、下側棚部１１４は、左側縁部１１２及び右側縁部１１３の両下方に配置された左下側コーナ部材１１７及び右下側コーナ部材１２０を介して接続されている。
【００１４】
下側棚部１１４は筆記面１０３より手前側に突出形成され、マーカーペンやクリーナを配置することができる他、筆記面１０３の画像をクリーナで除去した際に発生する消し粉を受ける。
【００１５】
フレーム１１０の右側縁部１１３には、電子黒板１００を操作するための各種のボタンを有する操作指示部の操作パネル１０７が一体的に設けられている。
【００１６】
右下側コーナ部材１２０には、電子黒板１００のオンオフ操作を行う電源スイッチ１４１と、外部記憶媒体としてのＵＳＢメモリ１５０が接続できるコネクタの役割を果たすＵＳＢポート１４２とが配置されている。
【００１７】
下側棚部１１４の右下側コーナ部材１２０側の位置には、表示部パネル５０１が設けられている。
【００１８】
図２は、電子黒板１００の内部構造を概略的に示す横断平面図である。図３は、電子黒板１００の内部を概略的に示す縦断正面図である。
【００１９】
フレーム１１０内の左右両端部には筆記シート１０２を回転して搬送させる一対のローラ２０１が設けられている。ローラ２０１は鉛直方向に向けられた軸心を有するもので、一対のローラ２０１間にはエンドレス状の筆記シート１０２が掛け渡されて、一方のローラ２０１には図示しないベルト伝動機構を介してモータ２０２（図４参照）が連結されている。そして、モータ２０２が駆動されるとベルト伝動機構（図示せず）を介してローラ２０１が回転し、このローラ２０１の回転により筆記シート１０２が左右方向に回転搬送される。
【００２０】
筆記シート１０２の筆記面１０３のすぐ背後には、筆記面１０３に対する筆記性を確保するための筆記ボード２５１が配設されている。
【００２１】
筆記シート１０２の筆記面１０３と反対側（以下、筆記シート１０２の背面側と称する）には、筆記面１０３に筆記された文字、図形等の画像を画像データとして読み取るための光学読取部２０３が設けられている。この光学読取部２０３は、筆記シート１０２の背面側であって一方のローラ２０１側に位置させて、筆記シート１０２に光を照射するための例えば蛍光灯３１１からなる光源３０１を有している。
【００２２】
電子黒板１００は、光学読取部２０３の一部として、ミラー３０２及びレンズ３０３を有し、光源３０１が筆記シート１０２へと光を照射して、その反射光を集光する縮小光学系である光学系３０５と、光学系３０５により集光された光を受光するＣＣＤラインセンサ３０４とを備えている。
【００２３】
図４は、電子黒板１００のハードウェア構成を示すブロック図である。電子黒板１００は、各種の動作を制御するＣＰＵ４０１を備えている。このＣＰＵ４０１には、制御プログラムや画像処理パラメータ等の固定データを記憶するＲＯＭ４０２と、各種データを一時的に記憶しワークエリアとして使用されるＲＡＭ４０３とがバスライン４１１を介して接続されている。なお、ＲＯＭ４０２はＣＰＵ４０１に内蔵されていてもよい。ＣＰＵ４０１、ＲＯＭ４０２、及びＲＡＭ４０３は、情報処理を実行する情報処理部４２１を構成する。情報処理部４２１には、プリンタ１０４、操作パネル１０７、モータ２０２、表示部パネル５０１がそれぞれ入出力回路（いずれも図示せず）とバスライン４１１とを介して接続されている。操作パネル１０７には、後述するコピーボタン１０５、データ確認ボタン１０６、及び、サムネイルボタン１０８等が操作指示部として配置されている。表示部パネル５０１には、ＬＣＤ５０３及び選択ボタン５０２が配置されている。
【００２４】
情報処理部４２１には、光源３０１に接続されてこの光源３０１の点灯を制御する点灯回路４０５がバスライン４１１を介して接続されている。
【００２５】
情報処理部４２１には、バスライン４１１とＵＳＢコントローラ４０６とを介してＵＳＢポート１４２が接続されており、さらにこのＣＰＵ４０１には、ＣＣＤラインセンサ３０４に接続されて、読み取られた画像データに対して、各種画像処理を施す各種回路等によって構成された画像処理部４０４がバスライン４１１を介して接続されている。
【００２６】
電子黒板１００には、各部に電力を供給する電源装置を制御する電源制御部４０８が配置されており、電源スイッチ１４１により電源制御部４０８を操作して電子黒板１００のオンオフ操作を行う。
【００２７】
このように構成された電子黒板１００で、操作パネル１０７が有するコピーボタン１０５が押下された場合に情報処理部４２１がＲＯＭ４０２に格納された制御プログラムに従い実行する処理について説明する。点灯回路４０５の動作により光源３０１が点灯している。コピーボタン１０５の押下により、情報処理部４２１は、モータ２０２を回転駆動させる。これにより、筆記シート１０２の筆記面１０３に、光源３０１からの光が照射される。そして、光学系３０５が筆記面１０３からの反射光を集光して、集光された光をＣＣＤラインセンサ３０４が１ライン毎に受光することで筆記面１０３に筆記された画像が画像データとして読み取りされる。ＣＣＤラインセンサ３０４により１ライン毎に読み取られた画像データは、電気信号へと変換され、この電気信号は増幅器及びオフセット回路（図示せず）にてゲインやオフセットが調整された後、Ａ／Ｄ変換部（図示せず）でデジタル信号の画像データへと変換される。その後、ＣＣＤラインセンサ３０４を構成する複数の素子により発生するシェーディング歪みによる誤差を補正するため、読み込まれた各画素信号に対し、シェーディング補正回路（図示せず）において公知のシェーディング補正が行われ、さらに明度補正回路（図示せず）にて、明度補正が施された後、出力される。情報処理部４２１は、出力された画像データをＲＡＭ４０３に各種画像処理後の画像データとして記憶させる。そして、情報処理部４２１は、プリンタ１０４を駆動させて、ＲＡＭ４０３に記憶された画像データに基づく画像を印刷用紙にプリントアウトさせる。また、ＲＡＭ４０３に記憶された画像データを、例えばＴＩＦＦ形式として、ＵＳＢコントローラ４０６を介してＵＳＢポート１４２に出力して、ＵＳＢメモリ１５０に上書きすることなく格納する。
【００２８】
図５は、ＵＳＢメモリ１５０のデータ構成を示す模式図である。ＵＳＢメモリ１５０には、画像データを格納するための画像フォルダ１５０ａが形成されている。情報処理部４２１は、画像フォルダ１５０ａに画像データを上書きせずに順次格納する。この際、情報処理部４２１は、画像データに対して番号を含むファイル名を付与して画像フォルダ１５０ａに格納する。番号は追番で累積的に付与される。つまり、画像データには追番で番号が付与されることになる。
【００２９】
例えば、ブランクの画像フォルダ１５０ａに対して画像データを格納する場合、この画像データに対しては、番号「０００００１」を含むファイル名「ＴＢ０００００１．ＴＩＦ」を付与して画像フォルダ１５０ａに格納する。続いて画像フォルダ１５０ａに格納する画像データには、次の番号「０００００２」を含むファイル名「ＴＢ０００００２．ＴＩＦ」を付与する。したがって、最大の番号を含むファイル名が付与されている画像データ（図５では、「ＴＢ００００２６．ＴＩＦ」）が、最も新しく読み取りされた画像に基づく画像データである。なお、ファイル名に含まれる「．ＴＩＦ」は、画像データのファイル形式を示す拡張子である。
【００３０】
図６は、右下側コーナ部材１２０付近を示すものであり、（ａ）はＵＳＢメモリ１５０の接続前の状態を示す斜視図、（ｂ）はＵＳＢメモリ１５０を接続した状態を示す斜視図である。図７は、右下側コーナ部材１２０付近をＵＳＢポート１４２と電源スイッチ１４１と共に示す断面図である。
【００３１】
右下側コーナ部材１２０は、合成樹脂で一体成型された部材であり、電源スイッチ１４１とＵＳＢポート１４２が配置される。右下側コーナ部材１２０は、フレーム１１０より手前側（操作者側：図７中左側）に突出形成される突設部１２１と、突設部１２１の上側に形成され、前記右側縁部１１３の下端が接続される上側接続部１２２と、突設部１２１の左側に形成され、前記下側棚部１１４の右端が接続される左側接続部１２３とからなる。図中符号１２９は、左側縁部１１２から延設された右側縁部１１３接続用の突片を示している。
【００３２】
右下側コーナ部材１２０の突設部１２１には、電源スイッチ１４１が設置される電源スイッチ設置部１２４が形成されている。電源スイッチ１４１は右下側コーナ部材１２０の内部から取り付けられ、その操作部１４１ａが電源スイッチ設置部１２４が外方に向け突出するように配置される。電源スイッチ設置部１２４は、図７に示すようにその表面の位置ｂが筆記シート１０２の位置ａより手前側（同）になるように形成されている。
【００３３】
電源スイッチ設置部１２４の直上部には、ＵＳＢポート１４２が設置されるＵＳＢポート設置部１２５が形成されている。ＵＳＢポート設置部１２５は、突出部である周囲壁部１２７の奥側端部に形成され、周囲壁部１２７はその内部にＵＳＢメモリの周囲を覆う挿入空間部１２６を形成している。
【００３４】
ＵＳＢポート１４２はその前端面１４２ａをＵＳＢポート設置部１２５に接触して配置され、ＵＳＢポート１４２の端子挿入孔１４３が挿入空間部１２６の奥側に開口する。
【００３５】
また、図７に示すように、周囲壁部１２７の前側端部の位置ｃは、電源スイッチ設置部１２４の表面の位置ｂより手前側（同）になるように形成される。
【００３６】
ＵＳＢメモリ１５０は、図６（ｂ）に示すように、接続端子１５１を端子挿入孔１４３に接続された状態で、その接続端子１５１側を挿入空間部１２６に挿入された状態となる。
【００３７】
また、図６に示すように、下側棚部１１４のＵＳＢポート１４２側の位置には、表示部パネル５０１が配置されている。表示部パネル５０１には、表示部としてのＬＣＤ５０３が設けられている。ＬＣＤ５０３は、情報をドットマトリクス表示する。また、表示部パネル５０１には、矢印が表示された一対の選択ボタン５０２が設けられている。左側の選択ボタン５０２には、左向きの矢印が表示され、右側の選択ボタン５０２には、右向きの矢印が表示されている。一対の選択ボタン５０２は共に円形状を有している。
【００３８】
図６（ｂ）に示すように、ＵＳＢポート１４２にＵＳＢメモリ１５０が接続されている状態では、情報処理部４２１は、ＵＳＢメモリ１５０に設けられた画像フォルダ１５０ａから、最大の番号を含むファイル名が付与されている画像データのファイル名を読み出して、読み出したファイル名に基づくファイル名表示をＬＣＤ５０３にさせている。ファイル名は画像データに付与されている番号を含むため、ＬＣＤ５０３のファイル名表示は、画像データに付与されている番号に基づく番号表示を含むことになる。
【００３９】
ＵＳＢポート１４２にＵＳＢメモリ１５０が接続されてＬＣＤ５０３にファイル名表示されている状態で、左側の選択ボタン５０２を押下すると、情報処理部４２１は、２番目に大きい番号を含むファイル名が付与されている画像データのファイル名を読み出して、ＬＣＤ５０３に表示させる。こうして、ＵＳＢポート１４２に接続されているＵＳＢメモリ１５０の画像フォルダ１５０ａ記憶されている画像データから任意の画像データを選択する処理が実行される。
【００４０】
次に、操作パネル１０７が有するデータ確認ボタン１０６の押下された場合に情報処理部４２１が実行する処理について説明する。
【００４１】
図８は、データ確認ボタン１０６が押下された場合に実行される処理の流れを示すフローチャートである。データ確認ボタン１０６が押下されたならば（Ｓ１０１のＹ）、情報処理部４２１は、ＵＳＢポート１４２に接続されているＵＳＢメモリ１５０の画像フォルダ１５０ａに格納されている画像データから最大の番号を含むファイル名が付与されている画像データの呼び出しを実行する（Ｓ１０２）。呼び出した画像データは、ＲＡＭ４０３に記憶される。そして、情報処理部４２１は、プリンタ１０４を駆動させて、ＲＡＭ４０３に記憶された画像データに基づく画像を印刷用紙に印刷させる（Ｓ１０３）。
【００４２】
このようにして、データ確認ボタン１０６を押下するだけで画像フォルダ１５０ａから最大の番号が付与された画像データが読み出されて画像印刷されるため、最も新しく読み取りされた画像データが示す画像の状態を容易に確認することができる。
【００４３】
また、本実施の形態では、データ確認ボタン１０６の押下の前に、表示部パネル５０１が有する選択ボタン５０２を操作することにより、画像印刷を実行する画像データを選択することができる。
【００４４】
図９は、選択ボタン５０２の操作後にデータ確認ボタン１０６が押下された場合に実行される処理の流れを示すフローチャートである。情報処理部４２１は、選択ボタン５０２の操作に応じて、ＵＳＢメモリ１５０の画像フォルダ１５０ａに格納されている画像データの選択を受け付ける（Ｓ２０１）。任意の画像データが選択された状態で、データ確認ボタン１０６が押下されたならば（Ｓ２０２のＹ）、情報処理部４２１は、ＵＳＢメモリ１５０の画像フォルダ１５０ａに格納されている画像データから選択されている画像データの呼び出しを実行する（Ｓ２０３）。呼び出した画像データは、ＲＡＭ４０３に記憶される。そして、情報処理部４２１は、プリンタ１０４を駆動させて、ＲＡＭ４０３に記憶された画像データに基づく画像を印刷用紙に印刷させる（Ｓ２０４）。
【００４５】
このようにして、選択ボタン５０２の操作後にデータ確認ボタン１０６を押下するだけで画像フォルダ１５０ａから選択された画像データが読み出されて画像印刷されるため、過去に読み取りされた任意の画像についての画像データが示す画像の状態を容易に確認することができる。
【００４６】
次に、操作パネル１０７が有するサムネイルボタン１０８が押下された場合の処理について説明する。
【００４７】
図１０は、サムネイルボタン１０８が押下された場合に実行される処理の流れを示すフローチャートである。サムネイルボタン１０８が押下されたならば（Ｓ３０１のＹ）、情報処理部４２１は、ＵＳＢポート１４２に接続されているＵＳＢメモリ１５０の画像フォルダ１５０ａに格納されている全ての画像データの呼び出しを実行する（Ｓ３０２）。呼び出した画像データは、ＲＡＭ４０３に記憶される。そして、情報処理部４２１は、ＲＡＭ４０３に記憶された画像データに基づき、この画像データが示す画像を縮小して配列したサムネイル画像の画像データを生成する処理を実行する（Ｓ３０３）。サムネイル画像についての画像の縮小率や配置の状態等を規定するデータは、ＲＯＭ４０２に格納されている。情報処理部４２１は、このデータを参照して画像データを生成する。生成した画像データは、ＲＡＭ４０３に記憶される。そして、情報処理部４２１は、プリンタ１０４を駆動させて、ＲＡＭ４０３に記憶された画像データに基づくサムネイル画像を印刷用紙に印刷させる（Ｓ３０４）。
【００４８】
図１１は、サムネイル画像が印刷された印刷用紙Ｐを模式的に示す平面図である。印刷用紙Ｐには、画像データに基づく画像が縮小配列されて印刷されている。各々の画像の下方位置には、対応するファイル名に基づくファイル名表示が印字されている。なお、サムネイル画像は、一枚の印刷用紙Ｐに印刷されなくてもよく、複数枚の印刷用紙に印刷されてもよい。
【００４９】
このようにして、サムネイルボタン１０８を押下するだけの容易な操作で、ＵＳＢポート１４２に接続されたＵＳＢメモリ１５０に格納されている全ての画像データに基づくサムネイル画像が印刷されるため、ＵＳＢメモリ１５０に格納されている画像データが示す画像の状態を一覧で確認することができる。
【図面の簡単な説明】
【００５０】
【図１】電子黒板を示す斜視図である。
【図２】電子黒板の内部構造を概略的に示す横断平面図である。
【図３】電子黒板の内部を概略的に示す縦断正面図である。
【図４】電子黒板のハードウェア構成を示すブロック図である。
【図５】ＵＳＢメモリのデータ構成を示す模式図である。
【図６】右下側コーナ部材付近を示すものであり、（ａ）はＵＳＢメモリの接続前の状態を示す斜視図、（ｂ）はＵＳＢメモリを接続した状態を示す斜視図である。
【図７】右下側コーナ部材付近をＵＳＢポートと電源スイッチと共に示す断面図である。
【図８】データ確認ボタンが押下された場合に実行される処理の流れを示すフローチャートである。
【図９】選択ボタンの操作後にデータ確認ボタンが押下された場合に実行される処理の流れを示すフローチャートである。
【図１０】サムネイルボタンが押下された場合に実行される処理の流れを示すフローチャートである。
【図１１】サムネイル画像が印刷された印刷用紙を模式的に示す平面図である。
【符号の説明】
【００５１】
１００…電子黒板、１０３…筆記面、１０４…プリンタ、１０７…操作パネル（操作指示部）、１４２…ＵＳＢポート（コネクタ）、１５０…ＵＳＢメモリ（外部記憶媒体）、２０３…光学読取部、４２１…情報処理部、５０２…選択ボタン（操作指示部）、５０３…ＬＣＤ（表示部）
【図１】
2008228138.tif 000003
【図２】
2008228138.tif 000004
【図３】
2008228138.tif 000005
【図４】
2008228138.tif 000006
【図５】
2008228138.tif 000007
【図６】
2008228138.tif 000008
【図７】
2008228138.tif 000009
【図８】
2008228138.tif 000010
【図９】
2008228138.tif 000011
【図１０】
2008228138.tif 000012
【図１１】
2008228138.tif 000013